(57)【特許請求の範囲】
【請求項１】
ハンドル(１)の回動往復操作により、ハンドル先端部の環状支持部(２)に収容したソケット(５)が一方向にのみ回転するラチェットレンチにおいて、ソケット(５)は略直径線上で分割され、ソケット(５)を回転可能に支持する環状支持部(２)は、ハンドル(１)に一体に突設された固定半体(３)と、該固定半体に一端が開閉可能に枢支された可動半体(４)とからなり、固定半体(３)と可動半体(４)の分割面はソケット(５)の直径線に一致しており、ソケット(５)を構成する両ソケット半体(51)(51)は、環状支持部(２)の内周面に開設された奥が拡大したガイド溝(21)にスライド可能に嵌まる突条(53)を有しており、該突条(53)は該ガイド溝(21)の奥が拡大した断面形状に対応して外側が拡大しており、環状支持部(２)には、可動半体(４)の自由端を閉じ状態にロックするロック手段(６)が設けられており、固定半体(３)と可動半体(４)の両方に、ソケット(５)外周のラチェット歯(54)に係脱可能な爪片(７)(70)が配備されている、ラチェットレンチ。
【請求項２】
ハンドル(１)の回動往復操作により、ハンドル先端部の環状支持部(２)に収容したソケット(５)が一方向にのみ回転するラチェットレンチにおいて、ソケット(５)は略直径線上で分割され、ソケット(５)を回転可能に支持する環状支持部(２)は、ハンドル(１)に一体に突設された固定半体(３)と、該固定半体に一端が開閉可能に枢支された可動半体(４)とからなり、固定半体(３)と可動半体(４)の分割面はソケット(５)の直径線に一致しており、ソケット(５)を構成する両ソケット半体(51)(51)は、環状支持部(２)の内周面に開設された奥が拡大したガイド溝(21)にスライド可能に嵌まる突条(53)を有しており、該突条(53)は該ガイド溝(21)の奥が拡大した断面形状に対応して外側が拡大しており、環状支持部(２)には、可動半体(４)の自由端を閉じ状態にロックするロック手段(６)が設けられており、両ソケット半体(51)(51)を真円上に配置したとき、両ソケット半体(51)(51)間に隙間(50)が生じる、ラチェットレンチ。
【発明の詳細な説明】
【０００１】
【発明の属する分野】
本発明は、ソケットを開閉可能に設けたラチェットレンチに関するものである。
【０００２】
【従来の技術及び解決しようとする課題】
ラチェットレンチは、環状のソケットを相手締め付け部材に係合し、ハンドルを回動往復操作するだけで締付けできるので、締付け作業能率が上がる。ところが、鉄筋、配管等の長尺物上での締付けは、長尺物の先端からソケットを嵌め込まねばならず、極めて不便であり、状況によっては使用不可能なこともある。本発明は、ソケット及びソケットを支持する環状支持部を分割式とすることにより、上記問題を解決できるラチェットレンチを明らかにするものである。
【０００３】
【課題を解決する手段】
本発明のラチェットレンチは、ハンドル(１)の回動往復操作により、ハンドル先端部の環状支持部(２)に収容したソケット(５)が一方向にのみ回転するラチェットレンチにおいて、ソケット(５)は略直径線上で分割され、ソケット(５)を回転可能に支持する環状支持部(２)は、ハンドル(１)に一体に突設された固定半体(３)と、該固定半体に一端が開閉可能に枢支された可動半体(４)とからなり、固定半体(３)と可動半体(４)の分割面はソケット(５)の直径線に一致しており、ソケット(５)を構成する両ソケット半体(51)(51)は、環状支持部(２)の内周面に開設された奥が拡大したガイド溝(21)にスライド可能に嵌まる突条(53)を有しており、該突条(53)は該ガイド溝(21)の奥が拡大した断面形状に対応して外側が拡大しており、環状支持部(２)には、可動半体(４)の自由端を閉じ状態にロックするロック手段(６)が設けられている。
【０００４】
固定半体(３)と可動半体(４)の何れか一方にソケット(５)外周のラチェット歯(54)に係脱可能に爪片(７)を設ければよいが、固定半体(３)と可動半体(４)の両方に爪片(７)(70)を設けてもよい。
【０００５】
ソケット半体(51)(51)は１／２円弧ではなく、両ソケット半体(51)(51)を真円上に配置したとき、両ソケット半体(51)(51)間に隙間(50)が生じる様にしてもよい。
【０００６】
更に、各ソケット半体(51)(51)は夫々ソケットの軸心を含む面内で複数のピースに分割しておいてもよい。
【０００７】
【作用及び効果】
ソケット(５)と環状支持部(２)の分割面を略一致させ、ロック手段(６)のロックを解除すると、可動半体(４)及び該可動半体(４)に収容されたソケット半体(51)が、相手固定半体(３)及び相手ソケット半体(51)に対して開く。開いたソケット半体(51)(51)間に相手締付け部材を嵌め入れ、可動半体(４)を閉じてロックする。ハンドル(１)を往復回動操作して締付け作業を行う。
【０００８】
締付けが完了すれば、ソケット(５)の分割面と環状支持部(２)の分割面がほぼ一致するまで、ハンドル(１)を緩め方向(ラチェットレンチであるから、実際に相手部材が緩むことはない)に戻してから、ロックを解除して環状支持部(２)及びソケット(５)を開く。
【０００９】
上記の如く、環状支持部材(２)及び該ソケット(５)は開閉できるため、相手締付け部材が長尺物或いは長尺物上に位置していても、ソケット(５)を容易に係脱でき、便利である。固定半体(３)と可動半体(４)の両方に爪片(７)(70)を配備しておけば、可動半体(４)を開いたとき、固定半体(３)側のソケット半体(51)も、可動半体(４)側のソケット半体(51)も、爪片(７)(70)が抵抗となってガイド溝(21)を滑って外れ落ちることはない。
【００１０】
ソケット半体(51)(51)が正確に１／２円弧(１８０°)ではなく、両ソケット半体(51)(51)を真円上に配置したとき、両ソケット半体(51)(51)間に隙間(50)が生じるものであれば、環状のソケットを製作してから、該環状ソケットを直径線上で切断してソケット半体(51)(51)を形成できる。ソケット半体(51)(51)が正確に１／２円弧であれば、環状ソケットの切断代がなくなり、環状ソケットを直径線上で２分割する製造方法は採用できない。
【００１１】
又、ソケット半体(51)(51)が正確に１／２円弧であれば、環状支持部(２)の加工誤差等により、可動半体(４)を閉じたときに、ソケット半体(51)(51)の突き合わせ面どうしが先に当接して、可動半体(４)が完全に閉じない虞れが生じる。
【００１２】
【発明の実施の形態】
図１に示す如く、アルミ合金製のハンドル(１)の先端部に環状支持部(２)が突設され、該環状支持部(２)にソケット(５)が回転可能に収容されている。
【００１３】
ソケット(５)の内面は多角形の係合孔(52)となっており、外周に周方向に突条(53)が形成され、該突条(53)にラチェット歯(54)が形成されている。公知の如く、ラチェット歯(54)は、図１に矢印Ａで示す、相手締付け部材(図示せず)を締め付ける方向に対しては、後記する爪片(７)(70)が引っ掛かり、緩め方向に対しては爪片(７)(70)が逃げる様な形状を呈している。
【００１４】
図４に示す如く、ソケット(５)の突条(53)は外側に拡大しており、環状支持部(２)の内周面に開設した奥が拡大した環状のガイド溝(21)にスライド可能に嵌まっている。
【００１５】
本発明の特徴は、環状支持部(２)及びソケット(５)は分割式である点である。環状支持部(２)は、ハンドル(１)の先端からハンドル(１)と一体に二股状に突出した固定半体(３)と、一端が枢軸(22)によって固定半体(３)に開閉可能に連結された可動半体(４)とによって構成される。可動半体(４)も、固定半体(３)と同様にしてアルミ合金で形成されている。
【００１６】
環状支持部(２)には、可動半体(４)を閉じ状態にロックするロック手段(６)が設けられ、該ロック手段(６)は、可動半体(４)の自由端に突設された固定フック(61)と、固定半体(３)の該固定フック(61)との対応位置に配備された可動フック(62)とによって構成される。
【００１７】
両フック(61)(62)は剛性の大なる金属で形成され、固定フック(61)は、可動半体(４)に開設した取付け孔(41)に嵌めてピン止め固定されている。可動フック(62)は、固定半体(３)に突設したブラケット部(31)に揺動可能に枢支され、固定フック(61)と噛み合う方向にバネ(64)によって付勢されている。
【００１８】
固定半体(３)及び可動半体(４)の夫々の略中央部に、前記ソケット(５)のラチェット歯(54)に係脱する爪片(７)(70)が設けられる。爪片(７)(70)は、固定半体(３)及び可動半体(４)の内面に開設した穴(23)(23)にソケット(５)の軸心に向けて出没可能に配備され、バネ(71)によって内向き付勢され、先端をラチェット歯(54)に当てている。
【００１９】
然して、ロック手段(６)を解除すると、可動半体(４)及び該可動半体(４)に収容されたソケット半体(51)(51)が、相手固定半体(３)及びソケット半体(51)に対して開く。開いたソケット半体(51)(51)間に相手締付け部材を嵌め入れ、可動半体(４)を閉じてロックする。ハンドル(１)を往復回動操作して締付け作業を行う。
【００２０】
締付けが完了すれば、ソケット(５)の分割面と環状支持部(２)の分割面がほぼ一致するまで、ハンドル(１)を緩め方向(ラチェットレンチであるから、実際に相手部材が緩むことはない)に戻してから、ロックを解除して環状支持部(２)及びソケット(５)を開く。
【００２１】
上記の如く、環状支持部(２)及び該ソケット(５)は開閉できるため、相手締付け部材が鉄筋、パイプ等の長尺物であっても、或いは該長尺物上に螺合されたものであっても、ソケット(５)を容易に係脱でき、便利である。
【００２２】
固定半体(３)と可動半体(４)の両方に爪片(７)(70)を配備しておけば、可動半体(４)を開いたとき、固定半体(３)側のソケット半体(51)も、可動半体(４)側のソケット半体(51)も、爪片(７)(70)が抵抗となってガイド溝(21)を滑って外れ落ちることはない。
【００２３】
図５は、ソケット(５)の他の実施例を示しており、ソケット半体(51)(51)は１／２円弧ではなく、両固定半体(51)(51)を真円上に配置したとき、両ソケット半体(51)(51)間に、０.５〜２.０mm程度の隙間が生じる。
【００２４】
図５のソケット(５)であれば、環状のソケットを製作してから、該環状ソケットを直径線上で切断しても、切断代が隙間となるから 問題はない。
ソケット半体(51)(51)が正しく１／２円弧であれば、環状ソケットの切断代がなくなり、環状ソケットを直径線上で２分割する製造方法は採用できない。
【００２５】
又、ソケット半体(51)(51)が正しく１／２円弧であれば、環状支持部(２)の加工誤差等により、可動半体(４)を閉じたときに、ソケット半体(51)(51)の突き合わせ面が先に当接して、可動半体(４)が完全に閉じない虞れが生じるが、図５の場合、環状支持部(２)の可動半体(４)が完全に閉じる前に、ソケット半体(51)(51)が突き合わさる不都合は生じない。
【００２６】
尚、本発明の実施に際し、各ソケット半体(51)(51)は夫々ソケットの軸心を含む面内で複数のピースに分割しておいてもよい。即ち、ソケット(５)を４つ以上のピースから構成することもできる。
【００２７】
本発明は上記実施例の構成に限定されることはなく、特許請求の範囲で種々の変形が可能である。
【図面の簡単な説明】
【図１】一部を破断したラチェットレンチの正面図である。
【図２】同上の要部拡大図である。
【図３】環状支持部及びソケットを開いた状態の拡大図である。
【図４】図３Ｂ−Ｂ線に沿う断面図である。
【図５】ソケットの他の実施例の正面図である。
【符号の説明】
(１) ハンドル
(２) 環状支持部
(３) 固定半体
(４) 可動半体
(５) ソケット
(51) ソケット半体
(６) ロック手段
(７) 爪片
【図１】
0004397992.tif 000002
【図２】
0004397992.tif 000003
【図３】
0004397992.tif 000004
【図４】
0004397992.tif 000005
【図５】
0004397992.tif 000006